(57)【要約】      （修正有）【課題】耳掛け部を耳に掛けたときの耳に掛かる負担を軽減するマスクを提供する。【解決手段】マスク１は、着用者の鼻及び口を覆うマスク本体部３と、マスク本体部の左右両側部に取り付けられ、着用者の耳に引っ掛ける左右一対の耳掛け部５とを備えている。マスク本体部は、不織布で構成され、耳掛け部は、綿を含み、マスク本体部に対する取付部相互間に沿って伸縮性を有する弾性体で構成される。また耳掛け部は、伸縮性を有する方向に対して直交し、かつ、互いに直交する二方向の長さが異なるテープ状である。【選択図】図１
0003212578.tif 000002
【実用新案登録請求の範囲】
【請求項１】
着用者の鼻及び口を覆うマスク本体部と、前記マスク本体部の左右両側部に取り付けられ、着用者の耳に引っ掛ける左右一対の耳掛け部と、を備えるマスクであって、
前記マスク本体部は、不織布で構成され、
前記耳掛け部は、綿を含み、前記マスク本体部に対する取付部相互間に沿って伸縮性を有する弾性体で構成され、
前記耳掛け部は、前記伸縮性を有する方向に対して直交し、かつ、互いに直交する二方向の長さが異なることを特徴とするマスク。
【請求項２】
前記マスク本体部は、横方向に延びる上縁部と、前記上縁部に対して平行に延びる下縁部と、前記上縁部に対して直交した状態で前記下縁部側に延びる直交縁部と、前記直交縁部に形成される切欠き部と、を有し、
前記耳掛け部の前記取付部は、前記切欠き部より前記上縁部側と、前記切欠き部より前記下縁部側と、で前記マスク本体部に取り付けられていることを特徴とする請求項１に記載のマスク。
【請求項３】
前記マスク本体部は、
前記下縁部が前記上縁部よりも横方向の長さが短く形成され、
前記直交縁部の下端と前記下縁部の横方向端部との間に斜縁部が形成され、
前記斜縁部が上側斜縁と下側斜縁とを有し、前記上側斜縁と前記下側斜縁との間には、横方向の外側に向けて突出するようにして屈曲する屈曲部を備え、
前記耳掛け部の前記取付部は、前記上縁部の近傍位置と前記屈曲部に対応する位置とに取り付けられていることを特徴とする請求項２に記載のマスク。
【請求項４】
前記耳掛け部の前記取付部と前記マスク本体部との間には、これら相互が溶着された溶着取付部が形成されていることを特徴とする請求項１ないし３のいずれか１項に記載のマスク。
【請求項５】
前記耳掛け部は、綿とポリウレタンの混合繊維で形成されることを特徴とする請求項１ないし４のいずれか１項に記載のマスク。
【請求項６】
前記マスク本体部の前記上縁部側に、薄板で横方向に長い長方形状の上部保形部材が設けられていることを特徴する請求項１ないし５のいずれか１項に記載のマスク。
【請求項７】
前記マスク本体部の上下方向中央部に、薄板で横方向に長い長方形状の中央保形部材が設けられていることを特徴とする請求項６に記載のマスク。
【請求項８】
前記マスク本体部の裏面の上縁部側に、多孔質弾性体からなるクッション体が設けられていることを特徴とする請求項１ないし７のいずれか１項に記載のマスク。
【請求項９】
前記クッション体と前記マスク本体部との間に、香料が充填されるカプセルが設けられていることを特徴とする請求項８に記載のマスク。
【考案の詳細な説明】
【技術分野】
【０００１】
本実施の形態は、使用者の鼻や口を覆って埃、花粉、病菌等の吸い込みを抑制するマスクに関する。
【背景技術】
【０００２】
マスクは、使用者の鼻や口を覆うマスク本体部と、使用者の耳に掛ける耳掛け部とを備えている。特許文献１に開示されたマスクは、マスク本体部が、３枚の不織布シートを積層状に重ね合わせた３層構造であり、耳掛け部は、プロピレン連続繊維が互いに溶着した不織布からなる伸長層と、熱可塑性合成繊維のエラストラマー等の弾性糸を使用した不織布からなる弾性層とを重ね合わせて積層した構造である。
【先行技術文献】
【特許文献】
【０００３】
【特許文献１】特許第５０７２７０８号公報
【考案の概要】
【考案が解決しようとする課題】
【０００４】
特許文献１に開示されたマスクは、耳掛け部を不織布で構成しているため、耳に掛けたときに肌が受ける感触が良好とはいえず、特に長時間使用した場合に耳に掛かる負担が大きくなる。
【０００５】
本実施の形態は、耳に掛かる負担を軽減するマスクを提供する。
【課題を解決するための手段】
【０００６】
本実施の形態の一態様のマスクは、着用者の鼻及び口を覆うマスク本体部と、前記マスク本体部の左右両側部に取り付けられ、着用者の耳に引っ掛ける左右一対の耳掛け部と、を備える。前記マスク本体部は、不織布で構成され、前記耳掛け部は、綿を含み、前記マスク本体部に対する取付部相互間に沿って伸縮性を有する弾性体で構成される。前記耳掛け部は、前記伸縮性を有する方向に対して直交し、かつ、互いに直交する二方向の長さが異なる。
【考案の効果】
【０００７】
本実施の形態によれば、耳に掛かる負担を軽減するマスクを提供できる。
【図面の簡単な説明】
【０００８】
【図１】第１の実施の形態に係るマスクの正面図である。
【図２】第１の実施の形態に係るマスクの裏面図である。
【図３】図１のマスクを着用者が着用した状態を示す側面図である。
【図４】図１のマスクに設けられるカプセルの断面図である。
【図５】図１のＢ−Ｂ断面図である。
【図６】第２の実施の形態に係るマスクの正面図である。
【考案を実施するための形態】
【０００９】
以下、実施の形態を図面に基づき説明する。
【００１０】
図１、図２は、第１の実施形態に係るマスク１を示す。マスク１は、着用者の鼻及び口を覆うマスク本体部３と、マスク本体部３の左右両側部に取り付けられ、着用者の耳に引っ掛ける左右一対の耳掛け部５とを備える。なお、以下の説明で、図１、図２中で左右方向を「横方向」、上下方向を「縦方向」という。
【００１１】
マスク本体部３は、不織布で構成している。不織布としては、例えばポリプロピレン、ポリエチレン等の熱可塑性樹脂を使用する。
【００１２】
マスク本体部３は、横方向に延びる上縁部３ａと、上縁部３ａに対して平行な状態で横方向に延びる下縁部３ｂとを有する。下縁部３ｂの横方向の長さは上縁部３ａの横方向の長さより短い。マスク本体部３は、上縁部３ａの横方向の中心と下縁部３ｂの横方向の中心とを結んだ縦方向に延びる中心線Ａを対称軸として、左右が略線対称の構造となっている。
【００１３】
マスク本体部３は、上縁部３ａの横方向両端部と、下縁部３ｂの横方向両端部との間に、上縁部３ａ側の直交縁部３ｃ及び、下縁部３ｂ側の斜縁部３ｄを備えている。直交縁部３ｃは、上縁部３ａに対して略直交した状態で下方に延びている。直交縁部３ｃと斜縁部３ｄとの間には、Ｖ字形状の切欠き部３ｅを形成している。
【００１４】
斜縁部３ｄは、直交縁部３ｃと下縁部３ｂとの間の略中間位置に、横方向の外側に向けて突出するようにして屈曲する屈曲部３ｆを形成している。これにより、斜縁部３ｄは、屈曲部３ｆを間にして上側斜縁３ｄ１と下側斜縁３ｄ２とを有する。
【００１５】
マスク本体部３は、図１に示す表側の第１シート状部材３１と、図２に示す裏側の第２シート状部材３３とを重ね合わせている。第１シート状部材３１は、複数枚の不織布を積層した構造であり、第２シート状部材３３は、１枚の不織布からなる単層構造である。なお、第１、第２シート状部材３１，３３の不織布の積層枚数は、上記に限るものではない。
【００１６】
図２に示す裏側の第２シート状部材３３は、上縁部３ａで表側に折り返された、図１に示す折り返し部３３ａと、下縁部３ｂで表側に折り返された、図１に示す折り返し部３３ｂと、を備えている。図１に示すように、折り返し部３３ａの下縁３３ａ１が、上縁部３ａと平行であり、折り返し部３３ｂの上縁３３ｂ１が、下縁部３ｂと平行である。折り返し部３３ｂの横方向両側は、下側斜縁３ｄ２に達している。
【００１７】
マスク１は、プリーツ型であり、マスク本体部３の第１、第２シート状部材３１，３３を襞状に折り畳んだ襞部７を備えている。襞部７は、図３のようにマスク１を着用者が装着したときに、鼻の上部から顎付近にわたり上下方向に延ばされて、マスク本体部３が着用者の顔の表面にフィットする。
【００１８】
切欠き部３ｅより少し上側の襞部７を形成した部分に、上縁部３ａと略平行に延びる中央保形部材としての第１保形部材９を設けている。第１保形部材９は、マスク本体部３の上下方向の略中央部に位置している。第１保形部材９は、第１、第２シート状部材３１，３３相互間に配置してあり、横方向の長さが、上縁部３ａよりも短く、下縁部３ｂよりも長い。上縁部３ａの近傍には、上部保形部材としての第２保形部材１１を設けている。第２保形部材１１は、第２シート状部材３３の折り返し部３３ａと第１シート状部材３１との間に配置してあり、横方向の長さが、第１保形部材９よりも短く、下縁部３ｂよりもやや長い。
【００１９】
第１、第２保形部材９，１１は、薄板で横方向に長い長方形状であり、例えば可撓性の熱可塑性樹脂で構成する。第１、第２保形部材９，１１は、着用者が容易に曲げることができ、一旦所定形状に変形すると、再び外力がかからない限りその所定形状を保持する。第１、第２保形部材９，１１は、図３のようにマスク１を着用者が装着したときに、鼻と口との間及び鼻の上部にそれぞれ対応する位置となる。この状態で、第１、第２保形部材９，１１が、前側に突出するように横方向の中心で折り曲げられることで、マスク本体部３と着用者の鼻周辺との隙間を極力小さくしながら、マスク本体部３と着用者の口元との間に安定的な空間を確保できる。
【００２０】
マスク本体部３は、上縁部３ａ、下縁部３ｂ、直交縁部３ｃ及び斜縁部３ｄを含む周縁全周にわたり、第１、第２シート状部材３１，３３相互を熱溶着または超音波溶着した溶着部１３を、２列備えている。溶着部１３の上縁部３ａに沿う上縁溶着部１３ａは、折り返し部３３ａに対応する位置で、第２保形部材１１の上下両側に位置している。溶着部１３の下縁部３ｂに沿う下縁溶着部１３ｂは、折り返し部３３ｂに対応する位置にある。直交縁部３ｃ及び斜縁部３ｄに沿う溶着部１３は、側縁溶着部１３ｃとして形成している。
【００２１】
溶着部１３は、第１保形部材９の上下両側にも中央溶着部１３ｄとして形成している。中央溶着部１３ｄは、横方向両側の直交縁部３ｃをつなぐように形成している。第１保形部材９の左右両側には、第１保形部材９の横方向への移動を規制するための、保持用溶着部１３ｅを形成している。第２保形部材１１の左右両側には、第２保形部材１１の横方向への移動を規制するための、保持用溶着部１３ｆを形成している。
【００２２】
図２に示すように、マスク本体部３の裏面における第２保形部材１１の下部近傍の第２シート状部材３３には、多孔質弾性体からなるクッション体３５を熱溶着や接着によって取り付けている。クッション体３５は、左右の直交縁部３ｃ近傍相互間にわたり、上縁部３ａと平行に設けてある。多孔質弾性体としては、例えば軟質ポリウレタンを発泡成形した弾性ポリウレタンフォームを用いる。クッション体３５と第２シート状部材３３との間には、直径１ｍｍ程度、あるいは直径１ｍｍ以上の球状のカプセル３７を複数配置している。カプセル３７の形状は球状に限るものではない。
【００２３】
カプセル３７は、図４に示すように、中空の外郭３７ａを備えている。外郭３７ａ内の中空部３７ｂに、アレルギーによる鼻炎等を消炎させるのに有効かつ、香料としての使用効果もあるメントール等のアレルギー消炎剤もしくはその他の各種香料を充填している。外郭３７ａは、例えばゼラチンを用いており、外郭３７ａが破壊されるまでは、中空部３７ｂ内のアレルギー消炎剤の成分もしくは各種香料の成分が発散しないようにされている。
【００２４】
アレルギー消炎剤もしくは香料の素材の具体例としては、フローラル系、ハーブ系、ミント系、フルーツ系等があり、これらの単品、あるいは組み合わせによって、それぞれに調合して使用する。鼻詰まり等のアレルギー症状が起きたとき、あるいは気分転換を図りたいときにマスク１を外した上で、カプセル３７を内包している部分のクッション体３５を指で潰すことにより、外郭３７ａを破壊して中空部３７ｂに封入してあるアレルギー消炎剤もしくは各種香料を放出する。
【００２５】
カプセル３７を破壊した後の状態でのマスク１を、再び鼻及び口を覆うと、メントール等もしくは各種香料の香りがマスク本体部３の内側に漂い広がると同時に、アレルギー消炎剤もしくは各種香料が気化されて徐々に第１シート状部材３１及び第２シート状部材３３を通過し、鼻及び口から吸引される。
【００２６】
耳掛け部５は、図１のＢ−Ｂ断面図である図５に示すように、長手方向（図５中で紙面に直交する方向）に対して直交し、かつ、互いに直交する二方向（図５中で上下方向及び左右方向）の長さが異なる薄板形状のテープ状に形成している。テープ状の耳掛け部５は、綿とポリウレタンとを混合させた繊維を使用しており、当該繊維を織るか、あるいは編むことによって形成した織布あるいは編物であり、長手方向に沿って伸縮性を有する弾性体である。なお、綿と混合させる繊維は、ポリウレタンに限るものではない。
【００２７】
耳掛け部５は、図２に示すように、長手方向の一端部５ａ及び他端部５ｂを、マスク本体部３の横方向両側部の裏側に重ね合わせるようにして、熱溶着または超音波溶着により取り付けている。すなわち、耳掛け部５の一端部５ａ及び他端部５ｂと、マスク本体部３との間には、これら相互が溶着された溶着取付部３９が形成されている。耳掛け部５の一端部５ａは、上縁部３ａの近傍位置に取り付け、他端部５ｂは、屈曲部３ｆに対応する位置に取り付けている。
【００２８】
次に、第１の実施形態の作用効果を説明する。
【００２９】
第１の実施形態のマスク１は、着用者の鼻及び口を覆うマスク本体部３と、マスク本体部３の左右両側部に取り付けられ、着用者の耳に引っ掛ける左右一対の耳掛け部５とを備える。マスク本体部３は、不織布で構成され、耳掛け部５は、綿を含み、マスク本体部３に対する取付部（一端部５ａ及び他端部５ｂ）相互間に沿って伸縮性を有する弾性体で構成される。耳掛け部５は、伸縮性を有する方向に対して直交し、かつ、互いに直交する二方向の長さが異なるテープ状である。
【００３０】
図３に示すように、着用者がマスク１を装着する際には、マスク本体部３を鼻及び口を覆うようにして顔に接触させながら、伸縮性のある耳掛け部５を伸ばして耳に掛ける。このとき、襞部７を鼻の上部から顎付近にわたり上下方向に伸ばすことで、マスク本体部３が着用者の顔の表面にフィットする。耳掛け部５は、綿を含み、伸縮性を有する弾性体で構成され、かつテープ状であるため、耳に掛けたときの肌触りがよく、長時間使用しても耳への負担を軽減することができる。
【００３１】
第１の実施形態は、マスク本体部３が、横方向に延びる上縁部３ａと、上縁部３ａに対して平行に延びる下縁部３ｂと、上縁部３ａに対して直交した状態で下縁部３ｂ側に延びる直交縁部３ｃと、直交縁部３ｃに形成される切欠き部３ｅと、を有する。耳掛け部５の取付部（一端部５ａ及び他端部５ｂ）は、切欠き部３ｅより上縁部３ａ側と、切欠き部３ｅより下縁部３ｂ側と、でマスク本体部３に取り付けられている。
【００３２】
この場合、マスク１を図３のように着用者が装着したときに、マスク本体部３は、耳掛け部５によって、切欠き部３ｅよりも、上縁部３ａ側及び下縁部３ｂ側が引っ張られる。このため、マスク本体部３は、切欠き部３ｅを境にして上下に折れ曲がるように容易に変形し、着用者の顔の表面にフィットしやすくなる。
【００３３】
第１の実施形態のマスク本体部３は、下縁部３ｂが、上縁部３ａよりも横方向の長さが短く形成され、直交縁部３ｃの下端と下縁部３ｂの横方向端部との間に斜縁部３ｄが形成される。斜縁部３ｃが上側斜縁３ｄ１と下側斜縁３ｄ２とを有し、上側斜縁３ｄ１と下側斜縁３ｄ２との間には、横方向の外側に向けて突出するようにして屈曲する屈曲部３ｆを備える。耳掛け部５の取付部（一端部５ａ及び他端部５ｂ）は、上縁部３ａの近傍位置と屈曲部３ｆに対応する位置とに取り付けられている。
【００３４】
この場合、マスク１を図３のように着用者が装着したときに、マスク本体部３は、耳掛け部５によって、上縁部３ａの近傍位置及び屈曲部３ｆに対応する位置が引っ張られる。このため、マスク本体部３は、切欠き部３ｅを境にして、上下に折れ曲がるように、直交縁部３ｃと斜縁部３ｄの上側斜縁３ｄ１とが略直線状となるように容易に変形し、着用者の顔の表面にフィットしやすくなる。
【００３５】
第１の実施形態は、耳掛け部５の取付部（一端部５ａ及び他端部５ｂ）とマスク本体部３との間には、これら相互が溶着された溶着取付部３９が形成されている。このため、耳掛け部５をマスク本体部３に強固に取り付けることができ、マスク１の品質が向上する。
【００３６】
第１の実施形態は、耳掛け部５が、綿とポリウレタンの混合繊維で形成される。このため、耳掛け部５部は、ポリウレタンによる伸縮性を保持しながら、耳に掛けたときの肌触りが綿により良好となる。
【００３７】
第１の実施形態は、マスク本体部３の上縁部３ａ側に、薄板で横方向に長い長方形状の第２の保形部材１１が設けられている。この場合、第２の保形部材１１を前側に突出するように横方向の中心で折り曲げることで、マスク１を着用者が装着したときに、マスク本体部３と着用者の鼻周辺との隙間を極力小さくすることができる。
【００３８】
第１の実施形態は、マスク本体部３の上下方向の略中央部に、薄板で横方向に長い長方形状の第２保形部材９が設けられている。この場合、第１の保形部材９を前側に突出するように横方向の中心で折り曲げることで、マスク１を着用者が装着したときに、マスク本体部３と着用者の口元との間に安定的な空間を確保できる。
【００３９】
第１の実施形態は、マスク本体部３の裏面の上縁部３ａ側に、多孔質弾性体からなるクッション体３５が設けられている。この場合、マスク１を図３のように着用者が装着したときに、クッション体３５が鼻周辺に接触するので、鼻への負担が軽減する。
【００４０】
第１の実施形態は、クッション体３５とマスク本体部３との間に、アレルギー消炎剤もしくはその他の各種香料が充填されるカプセル３７が設けられている。この場合、カプセル３７を指で潰すことにより、外郭３７ａを破壊して中空部３７ｂに封入してあるアレルギー消炎剤もしくは各種香料を放出する。
【００４１】
これにより、各種香料の香りがマスク本体部３の内側に漂い広がると同時に、アレルギー消炎剤もしくは各種香料が気化されて徐々に第１シート状部材３１及び第２シート状部材３３を通過し、鼻及び口から吸引される。その結果、マスク１の着用者は、各種香料によって気分転換を図ることができるとともに、アレルギー消炎剤によって鼻詰まり等のアレルギー症状を抑えることができる。
【００４２】
図６は、第２の実施形態に係るマスク１Ａを示す。マスク１Ａは、図１に示した第１の実施形態によるマスク１に対し、マスク本体部３の外形に関して切欠き部３ｅより下側が異なる。その他の構成は、第１の実施形態と同様であり、同一の構成要素には同一符号を付してある。マスク１Ａは、切欠き部３ｅより下側の側縁が、直交縁部３ｃと略同一直線上に位置する下側直交縁部３ｇとなっている。したがって、マスク１Ａの下縁部３ｂは、上縁部３ａに対し横方向の長さが同等である。
【００４３】
マスク１Ａの耳掛け部５は、第１の実施形態と同様に、綿を含み、長手方向に沿って伸縮性を有するテープ状の弾性体である。このため、第２の実施形態においても、耳掛け部５は、耳に掛けたときの肌触りがよく、長時間使用しても耳への負担を軽減することができる。
【００４４】
以上、実施形態について説明したが、これらの実施形態は理解を容易にするために記載された単なる例示に過ぎず、当該実施形態に限定されるものではない。技術的範囲は、上記実施形態で開示した具体的な技術事項に限らず、そこから容易に導きうる様々な変形、変更、代替技術なども含む。
【００４５】
例えば、耳掛け部５とマスク本体部３との取り付けは、溶着に限らず接着でもよい。
【００４６】
上記した実施形態では、耳掛け部５が、綿とポリウレタンとを混合させた繊維を使用しているが、綿のみを使用してもよい。綿のみを使用する場合は、繊維を織って形成した織布ではなく、繊維を編むことによって伸縮性を持たせた弾性体となる編物である。綿のみからなる編物は、織布であるガーゼのような触感が得られる。
【００４７】
上記した実施形態では、第１保形部材９、第２保形部材１１、クッション体３５、カプセル３７は、前述の通り全て備えているが、一部のみ備えてもよい。一部のみ備える例としては、具体的には第２保形部材１１のみ、第1保形部材９及び第２保形部材１１のみ、クッション体３５のみ、クッション体３５及びカプセル３７のみなどがある。
【産業上の利用可能性】
【００４８】
本実施の形態のマスクは、耳に掛かる負担を軽減するマスクに適用できる。
【符号の説明】
【００４９】
１，１Ａ  マスク
３  マスク本体部
３ａ  マスク本体部の上縁部
３ｂ  マスク本体部の下縁部
３ｃ  マスク本体部の直交縁部
３ｄ  マスク本体部の斜縁部
３ｅ  マスク本体部の切欠き部
３ｆ  マスク本体部の屈曲部
５  耳掛け部
５ａ  耳掛け部の一端部（取付部）
５ｂ  耳掛け部の他端部（取付部）
９  第１保形部材（中央保形部材）
１１  第２保形部材（上部保形部材）
３５  クッション体
３７  カプセル
３９  溶着取付部
【図１】
0003212578.tif 000003
【図２】
0003212578.tif 000004
【図３】
0003212578.tif 000005
【図４】
0003212578.tif 000006
【図５】
0003212578.tif 000007
【図６】
0003212578.tif 000008
【手続補正書】
【提出日】平成29年7月14日(2017.7.14)
【手続補正１】
【補正対象書類名】実用新案登録請求の範囲
【補正対象項目名】全文
【補正方法】変更
【補正の内容】
【実用新案登録請求の範囲】
【請求項１】
着用者の鼻及び口を覆うマスク本体部と、前記マスク本体部の左右両側部に取り付けられ、着用者の耳に引っ掛ける左右一対の耳掛け部と、を備えるマスクであって、
前記マスク本体部は、不織布で構成され、
前記耳掛け部は、綿を含み、前記マスク本体部に対する取付部相互間に沿って伸縮性を有する弾性体で構成され、
前記耳掛け部は、前記伸縮性を有する方向に対して直交し、かつ、互いに直交する二方向の長さが異なることを特徴とするマスク。
【請求項２】
前記マスク本体部は、横方向に延びる上縁部と、前記上縁部に対して平行に延びる下縁部と、前記上縁部に対して直交した状態で前記下縁部側に延びる直交縁部と、前記直交縁部に形成される切欠き部と、を有し、
前記耳掛け部の前記取付部は、前記切欠き部より前記上縁部側と、前記切欠き部より前記下縁部側と、で前記マスク本体部に取り付けられていることを特徴とする請求項１に記載のマスク。
【請求項３】
前記マスク本体部は、
前記下縁部が前記上縁部よりも横方向の長さが短く形成され、
前記直交縁部の下端と前記下縁部の横方向端部との間に斜縁部が形成され、
前記斜縁部が上側斜縁と下側斜縁とを有し、前記上側斜縁と前記下側斜縁との間には、横方向の外側に向けて突出するようにして屈曲する屈曲部を備え、
前記耳掛け部の前記取付部は、前記上縁部の近傍位置と前記屈曲部に対応する位置とに取り付けられていることを特徴とする請求項２に記載のマスク。
【請求項４】
前記マスク本体部の前記上縁部側に、薄板で横方向に長い長方形状の上部保形部材が設けられていることを特徴する請求項２または３に記載のマスク。
【請求項５】
前記マスク本体部の上下方向中央部に、薄板で横方向に長い長方形状の中央保形部材が設けられていることを特徴とする請求項４に記載のマスク。
【請求項６】
前記耳掛け部の前記取付部と前記マスク本体部との間には、これら相互が溶着された溶着取付部が形成されていることを特徴とする請求項１ないし５のいずれか１項に記載のマスク。
【請求項７】
前記耳掛け部は、綿とポリウレタンの混合繊維で形成されることを特徴とする請求項１ないし６のいずれか１項に記載のマスク。
【請求項８】
前記マスク本体部の裏面の上縁部側に、多孔質弾性体からなるクッション体が設けられていることを特徴とする請求項１ないし７のいずれか１項に記載のマスク。
【請求項９】
前記クッション体と前記マスク本体部との間に、香料が充填されるカプセルが設けられていることを特徴とする請求項８に記載のマスク。